(57)【要約】【課題】動画の一部のフレームの一部の領域に情報を効率よく付加する方法、ならびに一部のフレームに情報が付加されている動画の簡便な選択方法および柔軟な再生方法を提供する。【解決手段】動画を構成する複数のフレームをサムネイル画像として並べて表示して、選択されたフレームについて情報を付加する領域の指定を受け付ける。再生する動画の選択に際しては、複数の画像ファイルのフレームをサムネイル画像として並べて表示し、いずれかのフレームに情報が付加されている動画については、情報が付加されていることを示す画像を加える。動画の再生には、情報の再生を伴わずに全フレームを表示する方法、情報が付加されているフレームのみを表示する方法、全フレームを表示する途中で、情報が付加されているフレームを、情報の再生を伴って繰り返し表示する方法がある。【選択図】      図１３
2004222126.tif 000002
【特許請求の範囲】
【請求項１】
動画に情報を付加して記録する方法であって、
動画の中から複数のフレームを選出して、選出したフレームを並べて表示し、
表示したフレームの選択を受け付け、
選択されたフレームの一部の領域の指定を受け付け、
情報の入力を受け付け、
指定された領域と入力された情報とを、選択されたフレームに対応づけて記録することを特徴とする方法。
【請求項２】
フレームの間隔の指定を受け付け、
動画の中から指定された間隔でフレームを選出することを特徴とする請求項１に記載の方法。
【請求項３】
２つのフレームの選択を受け付け、
指定された領域と入力された情報とを、選択された２つのフレームとそれらの間の全てのフレームに対応づけて記録することを特徴とする請求項１に記載の方法。
【請求項４】
複数の動画の中から動画を選択する方法であって、
複数の動画の各々からフレームを選出して、選出したフレームを並べて表示し、
複数の動画の各々について、いずれかのフレームに情報が付加されているか否かを判定し、
いずれかのフレームに情報が付加されている動画から選出したフレームの表示に、情報が付加されていることを示す画像の表示を加え、
フレームの指定を受け付け、
指定されたフレームを含む動画を選択することを特徴とする方法。
【請求項５】
いずれかのフレームに情報が付加されている動画を再生する方法であって、
先頭のフレームから順に再生して、情報が付加されているフレームを再生するときにその情報を再生しない第１のモードと、
情報が付加されているフレームのみを再生して、その情報も再生する第２のモードと、
先頭のフレームから情報が付加されているフレームの前のフレームまでを順に再生し、さらに、情報が付加されている一連のフレームを繰り返し再生して、情報が付加されているフレームを再生するときにその情報を再生する第３のモードのいずれかの指定を受け付け、
指定されたモードで動画を再生することを特徴とする方法。
【発明の詳細な説明】
【０００１】
【発明の属する技術分野】
本発明は動画に関し、特に、一部のフレームに情報を付加した動画に関する。
【０００２】
【従来の技術】
動画の典型例である映画は一連の画像（フレーム）と音声とで構成されている。また、個人がビデオカメラで動画を撮影するときにも、音声を記録する。これらの動画は、全てのフレームに、音声という形態の情報が付加されていることになる。動画には、映画のように鑑賞を主たる目的とするものもあれば、科学、美術、スポーツ等、様々な分野についての解説を目的とするものもある。後者の動画では、全てのフレームに付加されている音声情報が、解説としての機能を果たしてきた。
【０００３】
近年では、ビデオカメラで撮影した動画をパーソナルコンピュータで再生したり編集したり、さらに、パーソナルコンピュータ自体で動画を生成したりすることが行われている。パーソナルコンピュータでは、文字という形態の情報を動画に付加することも行われており、画像に重ねて表示される文字情報も、解説として有用である。
【０００４】
動画の中の一部のフレームに情報を付加すること、および一部のフレームの一部の領域に情報を付加することが特開２０００−６９４４２号公報にて提案されている。この技術を解説を目的とする動画に採用して、任意のフレームの任意の領域に情報を付加し得るようにすると、動画の中のどの部分に対する情報であるかが明確になって、動画に情報を付加することの意義が一層高まると期待される。
【０００５】
【特許文献１】特開２０００−６９４４２号公報
【０００６】
【発明が解決しようとする課題】
ところが、上記公報では、動画に含まれるフレームにどのような情報を付加するかについては開示されているものの、情報を付加するフレームをどのようにして選択するか、および、情報を付加するフレーム内の領域をどのように指定するかについては、説明されていない。動画は多くのフレームで構成されるのが一般的であり、情報を付加するフレームの選択には効率のよい方法が必要である。
【０００７】
動画の再生に際しては、先頭のフレームから再生表示を開始して情報が付加されているフレームを再生するときにその情報を再生するのが、最も単純で容易に採用できる方法である。ただし、この方法では、情報の再生を必要としない場合でも情報を再生することになる、また、情報が付加されているフレームの再生が終了すると、もう一度先頭から再生を行わなければ、情報の再生を繰り返すことはできなず、より柔軟な再生方法が望まれる。さらに、一部のフレームに情報が付加されている動画であるか否かを判り易くして、再生する動画の選択や動画の再生方法の選択を容易にすることが望ましい。
【０００８】
本発明はこのような問題点に鑑みてなされたもので、動画の一部のフレームの一部の領域に情報を効率よく付加する方法、一部のフレームに情報が付加されている動画の簡便な選択方法、および、一部のフレームに情報が付加されている動画の柔軟な再生方法を提供することを目的とする。
【０００９】
【課題を解決するための手段】
上記目的を達成するために、本発明では、動画に情報を付加して記録する方法は、動画の中から複数のフレームを選出して、選出したフレームを並べて表示し、表示したフレームの選択を受け付け、選択されたフレームの一部の領域の指定を受け付け、情報の入力を受け付け、指定された領域と入力された情報とを、選択されたフレームに対応づけて記録するものとする。
【００１０】
この方法は、動画を構成する複数のフレームを並べて表示して、使用者にいずれかのフレームを選択させ、さらにそのフレーム内の領域を指定させるものである。複数のフレームを一度に表示することにより、動画におけるフレームの位置関係が判り易くなって選択が容易になり、選択に要する時間も短くて済む。表示するフレームを縮小していわゆるサムネイル画像としておけば、一度に多くの画像を並べて表示することが可能である。
【００１１】
連続したフレームを表示することも離間したフレームを表示することも可能である。連続したフレームを表示すれば、動画の内容が変化していく様子が細かく判り、使用者は、内容の差異が僅かなフレームの中から、情報を付加したいフレームを厳密に選択することができる。また、離間したフレームを表示すれば、動画の内容が変化していく様子が大まかに判り、フレームの総数が多く内容が大きく変化する動画の場合に、使用者は、情報を付加したいフレームを速やかに選択することができる。
【００１２】
並べて表示するフレームを縮小しておく場合、縮小したままの状態で領域の指定を受け付けるようにしてもよいし、縮小前のフレームを新たに表示して、領域の指定を受け付けるようにしてもよい。縮小前のフレームを表示すれば、領域を精度よく指定することができる。なお、入力する情報の形態は自由に定めればよく、例えば、音声や文字とすることができるし、他の画像とすることも可能である。
【００１３】
ここで、フレームの間隔の指定を受け付け、動画の中から指定された間隔でフレームを選出するようにすることもできる。使用者は、表示するフレームの間隔を、動画の内容の変化の度合いやフレームの総数に応じて設定することができて、フレームの選択が一層容易になる。
【００１４】
また、２つのフレームの選択を受け付け、指定された領域と入力された情報とを、選択された２つのフレームとそれらの間の全てのフレームに対応づけて記録するようにすることもできる。このようにすると、複数のフレームにわたって情報を付加することがきわめて容易になる。ここで、選択した２つのフレームの一方について領域の指定を受け付けて、指定された領域を全てのフレームに適用するようにしてもよいし、選択した２つのフレームの各々について領域の指定を受け付けて、中間の各フレームには、指定された２つの領域の補間処理によって求めた領域を適用するようにしてもよい。
【００１５】
前記目的を達成するために、本発明ではまた、複数の動画の中から動画を選択する方法は、複数の動画の各々からフレームを選出して、選出したフレームを並べて表示し、複数の動画の各々について、いずれかのフレームに情報が付加されているか否かを判定し、いずれかのフレームに情報が付加されている動画から選出したフレームの表示に、情報が付加されていることを示す画像の表示を加え、フレームの指定を受け付け、指定されたフレームを含む動画を選択するものとする。
【００１６】
この方法は、複数の動画の代表的なフレームを並べて表示して、使用者によって指定されたフレームの動画を選択するものである。いずれかのフレームに情報が付加されている動画については、情報が付加されていることを示す画像を表示するから、情報が付加されたフレームを含む動画であるか否かが使用者に判り易く、例えば再生に際して、動画の指定が容易になる。情報が付加されていることを示す画像は、付加されている情報の形態に応じて、例えば、音声で表した情報、文字で表した情報、あるは他の画像で表した情報であるかに応じて、態様を相違させるとよい。
【００１７】
前記目的を達成するために、本発明ではまた、いずれかのフレームに情報が付加されている動画を再生する方法は、先頭のフレームから順に再生して、情報が付加されているフレームを再生するときにその情報を再生しない第１のモードと、情報が付加されているフレームのみを再生して、その情報も再生する第２のモードと、先頭のフレームから情報が付加されているフレームの前のフレームまでを順に再生し、さらに、情報が付加されている一連のフレームを繰り返し再生して、情報が付加されているフレームを再生するときにその情報を再生する第３のモードのいずれかの指定を受け付け、指定されたモードで動画を再生するものとする。
【００１８】
この方法は、３つのモードのうち使用者が指定したモードによって動画を再生するものである。第１のモードでは情報の再生を伴うことなく動画を先頭から再生表示し、第２のモードでは情報の再生を伴って情報が付加されているフレームのみを再生表示するものである。付加されている情報が必要でないときは、使用者は第１のモードを指定することで、画像のみを表示させることができる。また、情報が付加されていないフレームの再生が不要な場合には、第２のモードを選択することができる。第３のモードでは動画を先頭から再生表示し、情報が付加されている部分を、その情報の再生を伴って繰り返し再生する。単一のフレームに情報が付加されていれば、そのフレームを繰り返し再生し、連続したフレームに情報が付加されていればそれらの全てのフレームを繰り返し再生する。第３のモードを指定することで、情報が付加されている部分の再生を、新たに再生を指示することなく何度でも行うことができる。
【００１９】
【発明の実施の形態】
以下、本発明の一実施形態である動画処理装置１について図面を参照しながら説明する。動画処理装置１の基本的な構成を図１に模式的に示す。動画処理装置１は、動画および操作案内を表示する表示部２、動画に付加する情報の入力を受け付ける情報入力部３、動画に付加された情報を再生する情報再生部４、動画を構成するフレームの選択を受け付ける操作部５、ＣＰＵ６ａを有し装置全体の動作を制御する制御部６、ＣＰＵ６ａが行う制御処理の命令を記したプログラムを記憶するプログラム記憶部７、ならびに、動画および情報を記憶するデータ記憶部８より成る。表示部２は、液晶表示器（ＬＣＤ）、陰極線管表示器（ＣＲＴ）等の表示装置で構成される。
【００２０】
動画処理装置１は、音声、テキスト（文字の列）および画像のいずれかの形態の情報を取り扱う。情報の形態が音声の場合、情報入力部３は例えばマイクロフォン、情報再生部４は例えばスピーカである。情報の形態がテキストの場合、情報入力部３は例えばキーボード、情報再生部４は例えば表示装置である。また、情報の形態が画像の場合、情報入力部３は例えばデジタルカメラ、情報再生部３は例えば表示装置である。情報がテキストまたは画像のときは、表示部２を情報再生部４として兼用することができる。
【００２１】
操作部５は、使用者によって操作され、なされた操作を検出する部材より成り、例えば、キー、ダイヤル等を含む。操作部５の一部である座標指示部５ａは、表示部５の表示面に対応する所定範囲の面上での位置（座標）を指示するために使用者によって操作され、指示された位置を検出する部材より成り、例えば、キー、ダイアル、スタイラス、トラックボール、ジョイスティック等を含む。表示部２には、座標指示部５ａの操作に連動して移動するポインタ（カーソル）が操作案内と共に表示される。また、操作案内には制御部６に与える指示の名称が含まれる。使用者は、座標指示部５ａの操作によりポインタを移動させて指示を選択することにより、処理を進めていく。
【００２２】
プログラム記憶部７は、不揮発性で書き換え可能または書き換え不能な記憶媒体より成る。プログラム記憶部７の記憶媒体としては、例えば、半導体ＲＯＭ、半導体ＥＥＰＲＯＭ、半導体フラッシュメモリ、ＣＤ−ＲＯＭ、ハードディスク等を用いることができる。データ記憶部８は、不揮発性で書き換え可能な記憶媒体より成る。データ記憶部８の記憶媒体としては、例えば、半導体フラッシュメモリ、ＤＶＤ−ＲＡＭ、ハードディスク、フレキシブルディスク、半導体フラッシュメモリを内蔵したメモリカード等を用いることができる。音声、テキスト、画像のいずれの形態の情報も、デジタル信号として記憶される。
【００２３】
プログラム記憶部７およびデータ記憶部８の記憶媒体は、固定装着されていてもよいし、着脱可能であってもよい。他の装置と通信を行うための通信部を備え、他の装置から動画を受信し、情報を付加した動画を他の装置に送信するようにしてもよい。
【００２４】
動画処理装置１の具体例であるパーソナルコンピュータ１０とデジタルカメラ２０を図２および図３にそれぞれ示す。図２のパーソナルコンピュータ１０は、表示部２としてＣＲＴ１２、情報入力部３としてマイクロフォン１３およびキーボード１５、情報再生部４としてスピーカ１４、操作部５の座標指定部５ａとしてマウス１６を備えている。ＣＲＴ１２はテキストの形態の情報を表示する情報生部４としても機能する。キーボード１５は操作部５としても機能し、また、その一部の座標指示部５ａとしても機能するカーソルキー１５ａを備えている。
【００２５】
パーソナルコンピュータ１０の本体１１には、制御部６、プログラム記憶部７およびデータ記憶部８として機能する各ユニットが内蔵されている。ＣＰＵ６ａの命令を記したプログラムは、製造時に内蔵の記憶媒体に記されているが、着脱可能な記憶媒体１７から供給することもできる。動画を表すデータは着脱可能な記憶媒体１７から供給され、パーソナルコンピュータ１０によって動画に付加された音声、テキストおよび画像の形態の情報は記憶媒体１７に記憶される。
【００２６】
図３において、（ａ）はデジタルカメラ２０の斜視図、（ｂ）は背面図である。デジタルカメラ２０は、静止画を撮影することも、動画を撮影することも可能である。デジタルカメラ２０は、画像を撮影するための撮影レンズ２８およびＣＣＤエリアセンサ２９に加えて、表示部２としてＬＣＤ２２、情報入力部３としてマイクロフォン２３、情報再生部４としてスピーカ２４、操作部５としていくつかのキー２５を備えている。キー２５には座標指示部５ａとして機能するカーソルキー２５ａが含まれている。
【００２７】
デジタルカメラ２０の内部には、制御部６、プログラム記憶部７およびデータ記憶部８として機能する各ユニットが備えられている。ＣＰＵ６ａの命令を記したプログラムは、製造時に内蔵の記憶媒体に記されているが、着脱可能な記憶媒体２７から供給することもできる。動画を表すデータは着脱可能な記憶媒体２７から供給され、あるいはデジタルカメラ２０自体によって撮影されて記憶媒体２７に記憶される。デジタルカメラ２０によって動画に付加された音声および画像の形態の情報は記憶媒体２７に記憶される。
【００２８】
以下、本実施形態の動画処理装置１における動画への情報の付加および動画の再生について詳しく説明する。データ記憶部８に記憶する動画および情報のデータの構成を図４に模式的に示す。動画は、その構成要素である全てのフレームをまとめて、１つの動画ファイル３０として記憶される。また、動画に付加される情報は、個別の情報ファイル４０として記憶される。
【００２９】
動画ファイル３０は、ヘッダー３１と個々のフレームのデータ３２より成る。ヘッダー３１には、総フレーム数、各フレームのデータの大きさ等のほか、いずれかのフレームに情報が付加されているか否かの情報、いずれかのフレームに情報が付加されているときは、そのフレームの番号（連続したフレームに情報が付加されているときは、情報が付加されている最初のフレームと最後のフレームの番号）および情報の種類（音声、テキスト、画像の形態の区別）が記される。
【００３０】
なお、１つの動画内の異なるフレームに異なる情報を付加することが可能であり、さらに、各情報の形態を相違させることも可能である。種類（形態）の異なる情報が付加されている場合は、それらの全ての種類がヘッダー３１に記される。
【００３１】
個々のフレームのデータ３２は、ヘッダー３３、画像を表す画像データ３４、音声を表す音声データ３５より成る。なお、音声データが表す音声は、動画撮影時に全てのフレームに対して付加されたものであり、本発明によって一部のフレームに付加される情報とは別のものである。ヘッダー３３には、そのフレームに情報が付加されているとき、そのフレームにおける情報が付加された領域の形状、位置および大きさ、付加されている情報の種類、ならびに情報を記した情報ファイル４０の名前が記される。
【００３２】
このように、動画処理装置１では、情報および情報を付加した領域をフレームに対応づけて記憶する。なお、情報ファイル４０は、情報の形態が音声、テキストおよび画像のいずれであるかに応じて、それぞれ音声データ、テキストデータおよび画像データより成る。
【００３３】
動画処理装置１は、動画の処理に関して２つの動作モードを有する。１つは、動画の一部のフレームの一部の領域に情報を付加する情報付加モードであり、他の１つは、動画を再生する動画再生モードである。使用者が動作モードを選択するために表示部２に表示する操作案内を図５に示す。操作案内は動作モードごとに用意されており、各操作案内のタブには動作モードの名称が記されている。これら２つの操作案内は重ねて表示され、使用者は、座標指示部５ａの操作によりポインタＰを所望の操作案内のタブ上に位置させて動作モードを選択する。
【００３４】
一方の動作モードが選択されると、その操作案内が他方の操作案内の上に位置して全体が見えるようになり、また、動作モードに応じたいくつかの指示が操作案内に現れる。以下、使用者は所望の指示を選択して処理を進めていく。なお、操作案内に現れる指示は処理の段階によって変わる。
【００３５】
動作モードの選択における制御部６の処理の流れを図６に示す。まず、図５のモード選択案内を表示する（ステップ＃５）。そして、動作モードの選択を受け付け（＃１０）、選択されたモードに応じて（＃１５）、情報付加モード（＃２５）または動画再生モード（＃３０）に移行する。情報付加モードが選択されたときは、動画ファイルを選択するための所定の案内を表示して、動画の選択を受け付けておく（＃２０）。動画再生モードが選択されたときは、動画再生モードに移行した後に、動画ファイルを選択するための所定の案内を表示して、動画の選択を受け付ける。
【００３６】
情報付加モードには４つのサブモードがある。まず、最初のサブモードである情報付加モード１について説明する。情報付加モード１では、使用者は、動画を再生表示しながら所望のフレームで停止させることによりフレームを選択し、選択したフレーム内の領域を指定し、情報を付加する。情報付加モード１において表示部２に表示する操作案内の例を図７、図８に示す。
【００３７】
操作案内には「再生」、「終了」および「フレーム選択」の３つの指示が表示される。使用者は、まず「再生」を選択して、動画の再生表示を開始し（図７（ａ））、所望のフレームが表示された段階で「フレーム選択」を選択して、再生を停止させる（図７（ｂ））。再生を停止させると、情報を付加する領域の形状および大きさを指定するための案内が表示され、使用者は所望の形状を選択し、大きさを設定する（図７（ｃ））。次いで、表示しているフレーム内にポインタを位置させて情報を付加する領域を指定する（図７（ｄ））。ポインタの位置が領域の中心となる。
【００３８】
領域を指定すると、情報を入力するための案内が表示される（図７（ｅ））。この案内には、「テキスト」、「音声」および「画像」の指示が含まれ、使用者は、いずれかを選択して情報の形態を指定するとともに、情報入力部３のうち指定した形態に応じたもの、すなわち、テキストであればキーボード、音声であればマイクロフォンを用いて、情報を入力する。情報の形態が画像の場合は、その画像データを含む情報ファイルの名前を入力し、情報ファイル自体は別途用意する。情報の入力後、「決定」を選択して情報の記憶を指示する。「キャンセル」を選択して入力した情報を取り消すこともできる。
【００３９】
なお、ここでは、領域の大きさを数値で設定するようにしているが、図８（ａ）、（ｂ）に示すように、形状のみを選択しておき、フレーム内に領域の中心を定めた後、ポインタを移動させて大きさを設定するようにしてもよい。この場合、領域が円形であれば半径を定めることになり、矩形または菱形であれば横方向と縦方向の大きさを個別に定めることができる。
【００４０】
情報付加モード１における制御部６の処理の流れを図９に示す。まず、「再生」の選択により開始が指示されるの待って（ステップ＃１０５）、動画の再生表示を先頭のフレームから開始する（＃１１０）。そして、最終フレームまで再生したか否かを判定し（＃１１５）、最終フレームまで再生していなければ、「終了」の選択によって再生終了が指示されたか否かを判定する（＃１２０）。
【００４１】
終了が指示されていなければ、「フレーム選択」の選択により、その時点で表示中のフレームを選択することが指示されたか否かを判定し（＃１２５）、指示されていなければステップ＃１１５に戻る。
【００４２】
フレームの選択が指示されているときは再生表示を一時中止し（＃１３０）、そのフレームの番号を記憶する（＃１３５）。次いで、領域の指定を受け付け（＃１４０）、指定された領域の形状、位置および大きさを、ステップ＃１３５で記憶した番号のフレームのヘッダーに記す（＃１４５）。さらに、情報入力案内を表示し（＃１５０）、情報の入力を受け付けて（＃１５５）、入力された情報を記した情報ファイル４０を作成するとともに、そのファイル名をステップ＃１３５で記憶した番号のフレームのヘッダーに記す（＃１６０）。そして、ステップ＃１１０に戻る。なお、情報の形態が画像の場合は、ステップ＃１５５では情報ファイルの名前の入力を受け付け、ステップ＃１６０では情報ファイルの作成はしない。
【００４３】
ステップ＃１１５の判定で最終フレームまで再生をしたとき、およびステップ＃１２０の判定で終了が指示されているときは、再生表示を終了する（＃１６５）。なお、ステップ＃１６０の後ステップ＃１１０に戻ることにより、再生表示を１回行う間に複数のフレームに情報を付加することができ、また、各フレームに付す情報の種類（形態）を個別に定めることができる。
【００４４】
情報付加モードの２番目のサブモードである情報付加モード２について説明するする。情報付加モード２では、使用者は、動画を再生表示しながら、操作部５の所定の部材（例えばマウス１６の左ボタン）を継続して操作することにより、一連のフレームを選択する。また、フレームの選択に際して表示中のフレーム上にポインタを位置させておくことにより、選択したフレームにおける領域の位置を指定する。情報付加モード２において表示部２に表示する操作案内の例を図１０、図１１に示す。
【００４５】
最初に表示する操作案内は、情報付加モード１と形式を同じにして統一を図っている。ただし、「フレーム選択」は使用しない。使用者は、まず「再生」を選択して、動画の再生表示を開始する（図１０（ａ））。そして、表示されるフレーム内にポインタを位置させて、所望のフレームが表示された段階で所定の部材の操作（例えばマウス１６の左ボタンの押し下げ）を開始し（図１０（ｂ））、所望の別のフレームが表示された段階でその操作を終了する（図１０（ｃ））。所定の部材を操作する間、ポインタの位置を中心とする所定の形状および大きさの領域が表示される。また、操作の開始から、情報を入力するための案内が表示される。操作終了後、使用者は前述のようにして、情報を入力し、入力した情報の記憶を指示する（図１０（ｄ））。
【００４６】
なお、図１１に示すように、領域が表示されている間、ポインタを移動させることも可能である。これにより、情報を付加する領域をフレームごとに変化させることができる。
【００４７】
情報付加モード２における制御部６の処理の流れを図１２に示す。まず、「再生」の選択により開始が指示されるの待って（ステップ＃２０５）、動画の再生表示を先頭のフレームから開始する（＃２１０）。そして、最終フレームまで再生したか否かを判定し（＃２１５）、最終フレームまで再生していなければ、「終了」の選択によって再生終了が指示されたか否かを判定する（＃２２０）。
【００４８】
終了が指示されていなければ、所定の部材の操作により領域の指定（フレームの選択）の開始が指示されたか否かを判定し（＃２２５）、指示されたときは、そのフレームの番号を記憶し（＃２３０）、そのフレームのヘッダーに領域の形状、位置および大きさを記す（＃２３５）。そして、ステップ＃２１５に戻る。
【００４９】
ステップ＃２２５の判定で、領域指定の開始が指示されないときは、所定の部材が操作されて既に領域指定中であるか否かを判定する（＃２４０）。領域指定中のときは、表示中のフレームの番号を記憶し（＃２４５）、そのフレームのヘッダーに領域の形状、位置および大きさを記して（＃２５０）、ステップ＃２１５に戻る。
【００５０】
ステップ＃２４０の判定で領域指定中でないとき、すなわち所定の部材が操作されていないときは、領域指定が終了したか否か、すなわち直前のフレームまで領域指定がなされていたか否かを判定する（＃２５５）。領域指定が終了したのでなければステップ＃２１５に戻る。
【００５１】
ステップ＃２１５の判定で最終フレームまで再生したとき、ステップ＃２２０の判定で終了が指示されているとき、およびステップ＃２５５の判定で領域指定が終了したときは、動画の再生表示を終了する（＃２６０）。そして、領域指定がなされたか否か、すなわちいずれかのフレームが選択されたか否かを判定し（＃２６５）、なされていなければ終了する。領域指定がなされていたときは、情報入力案内を表示し（＃２７０）、情報の入力を受け付け（＃２７５）、入力された情報を情報ファイル４０に記すとともに、そのファイル名をステップ＃２３０および＃２４５で記憶した番号のフレームのヘッダーに記して（＃２８０）、処理を終了する。
【００５２】
なお、情報付加モード２は一連のフレームに情報を付加した段階で終了するが、同一の動画に対して情報付加モード２の処理を複数回適用することも可能である。これにより、動画内の異なるフレーム群に個別に情報を付加することが可能であり、それらの情報の種類を相違させることもできる。
【００５３】
情報付加モードの３番目のサブモードである情報付加モード３について説明するする。情報付加モード３では、使用者は、複数のフレームを並べて表示し、それらの中から１つのフレームを選択して、そのフレームに対して領域を指定する。並べて表示するフレームは、一度に多くのフレームを表示するために、縮小してサムネイル画像とする。また、選択されたフレームは、領域を厳密に指定し得るようにするために、縮小前の通常の大きさで新たに表示する。情報付加モード３において表示部２に表示する操作案内の例を図１３、図１４に示す。
【００５４】
操作案内には、並べて表示するフレームの動画内での間隔を示す数値と、その単位を表す「ｓ」または「ｆ」の記号が表示される。単位は図１３の（ｄ）、（ｅ）に示すように切り替え可能である。ここで、「ｓ」は再生の際の時間間隔（秒）に基づいてフレームを選出することを意味し、例えば、図１３の（ａ）の例では１０秒ごとのフレームを選出して表示する。また、「ｆ」はフレームの数に直接基づいてフレームを選出することを意味し、例えば、図１３の（ｅ）の例では、８フレームごとに１つのフレームを選出する。単位を「ｆ」として間隔の値を「１」とすれば、連続したフレームが選出されることになる。
【００５５】
最初、あらかじめ定められている表示間隔と単位に従って複数のフレームが並べて表示され（図１３（ａ））、表示間隔と単位を指定すると、それに従って並べて表示されるフレームが更新される（図１３（ｂ））。使用者は所望のフレーム上にポインタを位置させてフレームを選択する（図１３（ｃ））。フレームを選択すると、そのフレームが縮小前の大きさで新たに表示され（図１４（ａ））、その後、使用者は情報付加モード１で説明した手順で、領域を指定し（図１４（ｂ））、情報を入力し（図１４（ｃ））、入力した情報を記憶させる（図１４（ｄ））。
【００５６】
情報付加モード３における制御部６の処理の流れを図１５に示す。まず、動画に含まれる全てのフレームの中から所定の間隔と単位に従って複数のフレームを選出し、それらのフレームをサムネイル画像として並べて表示する（ステップ＃３０５）。次いで、間隔および単位の変更の指示の有無を判定し（＃３１０）、変更指示があれば、ステップ＃３０５に戻って表示を更新する。
【００５７】
その後、いずれかのフレームが選択されたか否かを判定し、選択されていなければ選択されるのを待つ（＃３１５）。フレームが選択されたときは、そのフレームを縮小前の大きさで表示し（＃３２０）、そのフレームの番号を記憶する（＃３２５）。そして、領域の指定を受け付け（＃３３０）、指定された領域を、ステップ＃３２５で記憶した番号のフレームのヘッダーに記す（＃３３５）。また、情報入力案内を表示して（＃３４０）、情報の入力を受け付ける（＃３４５）。そして、入力された情報を情報ファイル４０に記すとともに、そのファイル名をステップ＃３２５で記憶した番号のフレームのヘッダーに記して（＃３５０）、処理を終了する。
【００５８】
なお、ここでは、並べて表示するフレームの間隔のみを指定するようにしているが、並べて表示する最初のフレームも指定するようにしてもよい。このようにすると、多くのフレームを含む動画の場合でも、情報を付加するフレームを厳密に選択することが可能になる。
【００５９】
情報付加モードの４番目のサブモードである情報付加モード４について説明するする。情報付加モード４では、使用者は、複数のフレームを並べて表示し、それらの中から２つのフレームを選択して、それらのフレームに対して領域を個別に指定する。制御部６は、選択された２つのフレームの間に位置する全てのフレームも選択されたとして扱って、これらのフレームにも情報を付加する領域を割り当てる。中間のフレームに割り当てる領域の位置および大きさは、選択された２つのフレームに基づき補間処理によって設定する。２つのフレームを選択して領域を指定するだけで、一連のフレームが選択されて領域が設定されることになる。情報付加モード４において表示部２に表示する操作案内の例を図１６に示す。
【００６０】
操作案内は情報付加モード３のものと同様であり、並べて表示するフレームは縮小してサムネイル画像とする。また、表示間隔およびその単位も変更可能である。ただし、ここでは、選択されたフレームについて縮小前の大きさで新たに表示することはせず、サムネイル画像上で直接領域を指定するようにしている。使用者は、まず、１つのフレーム上にポインタを位置させてフレームを選択し、続いて領域を指定する（図１６（ａ））。次いで、別のフレーム上にポインタを位置させてフレームを選択し、続いて領域を指定する（図１６（ｂ））。フレームを選択する順序は任意であり、選択されることになる一連のフレームのうち、最初のものを先に選択してもよく、最後のものを先に選択してもよい。
【００６１】
情報付加モード４における制御部６の処理の流れを図１７に示す。まず、動画に含まれる全てのフレームの中から所定の間隔と単位に従って複数のフレームを選出し、それらのフレームをサムネイル画像として並べて表示する（ステップ＃４０５）。次いで、間隔および単位の変更の指示の有無を判定し（＃４１０）、変更指示があれば、ステップ＃４０５に戻って表示を更新する。
【００６２】
その後、いずれかのフレームが選択されたか否かを判定し、選択されていなければ選択されるのを待つ（＃４１５）。フレームが選択されたときは、そのフレームの番号を記憶する（＃４２０）。そして、領域の指定を受け付け（＃４２５）、指定された領域を、ステップ＃４２０で記憶した番号のフレームのヘッダーに記す（＃４３０）。
【００６３】
その後さらに、いずれかのフレームが選択されるのを待って（＃４３５）、選択されたフレームの番号を記憶する（＃４４０）。そして、領域の指定を受け付け（＃４４５）、指定された領域を、ステップ＃４４０で記憶した番号のフレームのヘッダーに記す（＃４５０）。
【００６４】
次いで、ステップ＃４２０とステップ＃４４０で番号を記憶した２つのフレームの間のフレームの番号を全て記憶する（＃４５５）。そして、これらのフレームの各々について、ステップ＃４２５とステップ＃４４５で指定された２つの領域の位置および大きさと、ステップ＃４２０とステップ＃４４０で記憶したフレームの番号および当該フレームの番号に基づく内挿処理により、フレームの領域の位置および大きさを設定し（＃４６０）、設定した領域をヘッダーに記す（＃４６５）。
【００６５】
その後、情報入力案内を表示して（＃４７０）、情報の入力を受け付け（＃４７５）、入力された情報を情報ファイル４０に記すとともに、そのファイル名をステップ＃４２０、＃４４０で番号を記憶した２つのフレームおよびステップ＃４５５で番号を記憶した全てのフレームのヘッダーに記して（＃４８０）、処理を終了する。
【００６６】
なお、ここでは選択した２つのフレーム各々について領域を指定するようにしているが、選択した一方のフレームのみについて領域を指定するようにしてもよい。その場合、選択された２つのフレームと中間の全てのフレームについて、指定された領域を設定する。
【００６７】
情報付加モードにおいて情報の入力を受け付ける処理（図９ステップ＃１１５、図１２ステップ＃２７５、図１５ステップ＃３４５、図１７ステップ＃４７５）について、より詳しく説明する。前述のように、情報の入力を受け付ける際には操作案内を表示する。この操作案内を図１８に示す。
【００６８】
情報の形態がテキストの場合、使用者は「テキスト」を選択する（図１８（ａ））。「テキスト」が選択されるとテキストを表示する欄が操作案内に現れ（図１８（ｂ））、情報入力部３（キーボード）を介して入力されたテキストが、ここに表示される。
【００６９】
情報の形態が音声の場合、使用者は「音声」を選択する。「音声」が選択されると「録音開始」および「録音終了」の指示が操作案内に現れ、「録音開始」を選択することで音声の記憶が開始される（図１８（ｃ））。使用者は、情報入力部（マイクロフォン）を介して音声を入力する。音声の記憶は「録音終了」を選択することによって終了する。
【００７０】
情報の形態が画像の場合、使用者は「画像」を選択する。「画像」が選択されると、画像データが記されているファイル名の一覧を表示した欄と、入力されたファイル名を表示する領域が操作案内に現れる（図１８（ｄ））。使用者は、一覧表示されたファイル名の中に所望のものがあるときはそれを選択し、なければ、ファイル名を表示する欄を選択して、情報入力部３（キーボード）を介してファイル名を入力する。入力されたファイル名は表示される。情報入力段階で、画像データを記した情報ファイルを既に作成しているときは、ファイル名を選択することになり、画像データを記した情報ファイルを作成していないときは、ファイル名を入力して、後にその情報ファイルを作成することになる。
【００７１】
情報入力の受け付けにおける制御部６の処理の流れを図１９に示す。まず、「音声」、「テキスト」および「画像」のいずれが選択されたかによって、情報の形態が音声であるか否かを判定する（ステップ＃５０５）。情報の形態が音声のときは、録音開始の指示を待って（＃５１０）、音声の入力を受け付け（＃５１５）、入力された音声を情報ファイル４０に記す（＃５２０）。次いで、録音終了の指示の有無を判定し（＃５２５）、終了指示がなけれステップ＃５１５に戻り、あれば処理を終了する。
【００７２】
ステップ＃５０５の判定で情報の形態が音声でないときは、テキストであるか否かを判定する（＃５３０）。情報の形態がテキストのときは、テキスト入力の案内を表示し（＃５３５）、テキストの入力を受け付けて（＃５４０）、入力されたテキストを情報ファイル４０に記し（＃５４５）、処理を終了する。
【００７３】
ステップ＃５３０の判定で情報の形態がテキストでないとき、すなわち画像のときは、情報ファイル選択およびファイル名入力の案内を表示し（＃５５０）、ファイルの選択またはファイル名の入力を受け付ける（＃５５５）。そして、選択されたファイル名または入力されたファイル名を記憶して（＃５６０）、処理を終了する。
【００７４】
なお、上記の情報付加モード１〜４では、フレームを選択し領域を指定した後に情報を入力するようにしているが、情報を先に入力して、その後にフレームの選択および領域の指定を行うようにしてもよい。
【００７５】
動画再生モードについて説明する。動画再生モードにおいて最初に表示する操作案内を図２０に示す。操作案内には、フォルダーを表示する欄と、個々のファイルの１つのフレームをサムネイル画像として並べて表示する欄が含まれる。使用者は、まず、フォルダーを選択する（図２０（ａ））。フォルダーが選択されると、そのフォルダーに含まれる全ての画像ファイルのフレーム（動画ファイルのときは先頭のフレーム）が表示される（図２０（ｂ））。
【００７６】
このとき、いずれかのフレームに情報が付加されている動画ファイルについては、情報が付加されていること、およびその情報の形態を示す画像が、表示に加えられる。図２０（ｂ）の例では、１番目（最上段左端）の画像ファイルにテキストの情報が、４番目（２段目左端）の画像ファイルに画像の情報が、５番目（２段目中央）の画像ファイルに音声の情報が付加されている。なお、１つの動画に形態の異なる２以上の情報が付加されているときは、各々の形態を示す画像を表示に加える。
【００７７】
使用者は、並べて表示されたこれらのフレームの中から所望のものを選択する。ここで選択されたフレームを含む動画が再生の対象となる。ただし、並べて表示するフレームには静止画のものも含まれており、静止画については動画再生モードの対象としない。
【００７８】
再生対象の動画が選択されると、先頭のフレームが縮小前の通常の大きさで表示され、いずれかのフレームに情報が付加されているときは、情報が付加されている最初のフレームも表示される（図２１参照）。
【００７９】
動画生成モードには３つのサブモードがある。最初のサブモードは、先頭のフレームから順に再生表示し、情報が付加されているフレームを表示するときでも、情報の再生を行わないモードである。これを標準再生モードという。２番目のサブモードは、情報が付加されているフレームのみを再生表示し、付加されている情報も再生するモードである。これを情報再生モードという。３番目のサブモードは、先頭のフレームから情報が付加されているフレームの前のフレームまで順に再生表示し、次いで、情報が付加されている一連のフレームを繰り返し再生表示して、その間に情報を再生するモードである。これを全体再生モードという。これらのサブモードは、再生対象の動画を選択した後に、選択することができる。
【００８０】
サブモード選択のための操作案内を図２１に示す。操作案内には先頭のフレームと、「再生」、「終了」の指示が含まれる（図２１（ａ））。「再生」を選択すると（図２１（ｂ））、「標準再生」、「情報再生」、「全体再生」の指示が現れ、さらに、いずれかのフレームに情報が付加されているときは、情報が付加されている最初のフレームが表示される（図２１（ｃ））。情報が付加されているフレームには、領域も表示される。使用者は、所望のサブモードに応じて、「標準再生」、「情報再生」、「全体再生」のいずれかを選択する（図２１（ｄ））。
【００８１】
動画再生モードにおける制御部６の処理の流れを図２２に示す。まず、フォルダの選択を待ち（ステップ＃６０５）、選択されたフォルダに含まれる全ての画像ファイルの先頭のフレームをサムネイル画像として並べて表示する（＃６１０）。次いで、ファイルが選択され、再生が指示されるのを待ち（＃６１５）、選択されたファイルが動画ファイルであるか否かを判定する（＃６２０）。選択されたファイルが動画ファイルでないときは、ステップ＃６１５に戻って再選択を待つ。
【００８２】
動画ファイルが選択されたときは、先頭のフレームを表示し（＃６２５）、ファイルのヘッダーを参照していずれかのフレームに情報が付加されているか否かを判定する（＃６３０）。情報が付加されていれば、情報が付加されている最初のフレームを表示して（＃６３５）、サブモードの選択を待ち（＃６４０）、選択に応じて（＃６４５）、標準再生モード（＃６５０）、情報再生モード（＃６５５）、または全体再生モード（＃６６０）に移行する。
【００８３】
ステップ＃６３０の判定で情報が付加されていないときは、再生開始の指示を待って（＃６６５）、先頭のフレームから順に再生する（＃６７０）。
【００８４】
標準再生モードでの動画の再生および情報が付加されていない動画の再生においては、全てのフレームに付加されている音声データを音声として再生しながら、全てのフレームの画像データを順に再生表示していく。標準再生モードでは、いずれかのフレームに情報が付加されているものの、その情報は再生しない。
【００８５】
情報再生モードについて説明する。情報再生モードでの操作案内を図２３に示す。情報再生モードでは、まず、情報が付加されている最初のフレームを領域と共に再生表示し、そのフレームに付加されている情報も、情報の形態に応じた情報再生部４によって再生する（図２３（ａ））。その後、「再生」、「終了」の指示が案内に現れ、使用者が「再生」を選択すると（図２３（ｂ））、表示したフレームを含む情報が付加されている一連のフレームの再生表示を、情報の再生を伴って行い、その一連のフレームのうち最後のフレームまで再生表示した段階で、再生を停止する。なお、同一の情報が付加されているフレームが１つのみのときには、そのフレームと情報を再生して、再生を停止する。
【００８６】
再生を停止した後、使用者が「再生」を再度選択すると、再生済みのフレームより後の、情報が付加されている一連のフレームを、情報の再生を伴って、再生表示する。以下、最後のフレームに至るまで、あるいは「終了」が選択されるまで、同様の処理を繰り返す。
【００８７】
情報再生モードにおける制御部６の処理の流れを図２４に示す。再生開始の指示を待って（ステップ＃７０５）、情報が付加されているフレームの再生表示を開始する（＃７１０）。そして、再生表示したフレームの領域を表示し（＃７１５）、また、その情報を再生する（＃７２０）。次いで、表示中のフレームが動画内の最終フレームであるか否かを判定し（＃７２５）、最終フレームでなければ終了が指示されたか否かを判定する（＃７３０）。
【００８８】
終了が指示されていなければ、表示中のフレームが情報が付加されている一連のフレームの中の最終のフレームであるか否かを判定する（＃７３５）。一連のフレームの最終フレームでなければステップ＃７１５に戻り、一連のフレームの最終フレームであれば、再生を停止して（＃７４０）、ステップ＃７０５に戻る。ステップ＃７０５に戻った後は、開始指示に応じて、情報が付加されている次の一連のフレームを再生する。
【００８９】
ステップ＃７２５の判定で最終フレームのとき、およびステップ＃７３０の判定で終了が指示されているときは、再生を終了して（＃７４５）、処理を終える。
【００９０】
全体再生モードについて説明する。全体再生モードでの操作案内を図２５に示す。全体再生モードでは、先頭のフレームから再生表示を開始して（図２５（ａ））、情報が付加されている一連のフレームに至ると、付加されている情報の再生を伴ってそれらのフレームの再生表示を繰り返す（図２５（ｃ））。同一の情報が付加されているフレームが１つのみのときは、そのフレームの再生表示を繰り返す（図２５（ｂ））。情報が付加されているフレームの再生表示においては、各フレームの指定された領域も表示する。
【００９１】
情報が付加されている一連のフレームの再生表示を繰り返している間に再開の指示を与えられると、後続のフレームの再生表示を行う。再開の指示は「再生」を選択することにより行う。後続のフレームの中に情報が付加されている一連のフレームがあれば、付加されている情報の再生を伴ってそれらのフレームの再生表示を繰り返す。全体再生モードは、全てのフレームを再生表示したとき、または「終了」の選択により終了が指示されたときに（図２５（ａ））、終了する。
【００９２】
全体再生モードにおける制御部６の処理の流れを図２６に示す。再生開始の指示を待って（ステップ＃８０５）、先頭のフレームから再生表示を開始する（＃８１０）。そして、表示中のフレームが動画内の最終のフレームであるか否かを判定し（＃８１５）、最終のフレームでなければ終了が指示されたか否かを判定する（＃８２０）。
【００９３】
終了が指示されていなければ、表示中のフレームに情報が付加されているか否かを判定し（＃８２５）、付加されていなければ、ステップ＃８１５に戻る。情報が付加されているときは、指定されている領域を表示し（＃８３０）、付加されている情報をその形態に応じて再生する（＃８３５）。次いで、再開の指示が与えられたか否かを判定し（＃８４０）、与えられてなければ、表示中のフレームが情報が付加されている一連のフレームの中の最終のフレームであるか否かを判定し（＃８４５）、最終のフレームでなければステップ＃８１５に戻る。情報が付加されている一連のフレームの最終のフレームであれば、その一連のフレームの再生を再び開始して（＃８５０）、ステップ＃８１５に戻る。
【００９４】
ステップ＃８４０の判定で再開が指示されているときは、情報が付加されている一連のフレームの次のフレームから再生表示を開始して（＃８５５）、ステップ＃８１５に戻る。
【００９５】
ステップ＃８１５の判定で最終フレームのとき、およびステップ＃８２０の判定で終了が指示されているときは、再生を終了して（＃８６０）、処理を終える。
【００９６】
情報再生モードおよび全体再生モードにおいて、操作案内に「再生」の指示に加えて「前再生」の指示を設け、「前再生」が選択されたときに、直前に再生した情報が付加されている一連のフレームを再生表示するようにしてもよい。これにより、情報が付加されている一連のフレームの再生を終えた後でも、その一連のフレームを再び提供することが可能になる。
【００９７】
情報付加モードにおいては説明を省略したが、情報を付加する動画の選択では（図６ステップ＃２０）、再生する動画の選択に関して図２０に示した処理を採用する。これにより、使用者は、情報が既に付加されている動画であるか否かを容易に知ることができる。図２０に示した動画の選択の処理は、再生に限らず、例えば、動画ファイルの複製、削除、他の装置への送信の際の選択にも適用可能である。
【００９８】
【発明の効果】
動画に情報を付加して記録する方法において、本発明のように、動画の中から複数のフレームを選出して、選出したフレームを並べて表示し、表示したフレームの選択を受け付け、選択されたフレームの一部の領域の指定を受け付け、情報の入力を受け付け、指定された領域と入力された情報とを、選択されたフレームに対応づけて記録するようにすると、動画内でのフレームの位置関係が判り易くなって選択が容易になり、選択に要する時間も短くて済む。
【００９９】
ここで、フレームの間隔の指定を受け付け、動画の中から指定された間隔でフレームを選出するようにすると、使用者は、表示するフレームの間隔を、動画の内容の変化の度合いやフレームの総数に応じて設定することができて、フレームの選択が一層容易になる。
【０１００】
また、２つのフレームの選択を受け付け、指定された領域と入力された情報とを、選択された２つのフレームとそれらの間の全てのフレームに対応づけて記録するようにすると、複数のフレームにわたって情報を付加することがきわめて容易になる。
【０１０１】
複数の動画の中から動画を選択する方法において、本発明のように、複数の動画の各々からフレームを選出して、選出したフレームを並べて表示し、複数の動画の各々について、いずれかのフレームに情報が付加されているか否かを判定し、いずれかのフレームに情報が付加されている動画から選出したフレームの表示に、情報が付加されていることを示す画像の表示を加え、フレームの指定を受け付け、指定されたフレームを含む動画を選択するようにすると、情報が付加されたフレームを含む動画であるか否かが使用者に判り易く、再生等に際して、動画の指定が容易になる。
【０１０２】
いずれかのフレームに情報が付加されている動画を再生する方法において、本発明のように、先頭のフレームから順に再生して、情報が付加されているフレームを再生するときにその情報を再生しない第１のモードと、情報が付加されているフレームのみを再生して、その情報も再生する第２のモードと、先頭のフレームから情報が付加されているフレームの前のフレームまでを順に再生し、さらに、情報が付加されている一連のフレームを繰り返し再生して、情報が付加されているフレームを再生するときにその情報を再生する第３のモードのいずれかの指定を受け付け、指定されたモードで動画を再生するようにすると、使用者は、情報の再生の要否に応じて自由にモードを選択することができて、再生の効率がよい。特に第３のモードを指定することで、情報が付加されている部分の再生を、新たに再生を指示することなく何度でも行うことができる。
【図面の簡単な説明】
【図１】本発明の一実施形態の動画処理装置の基本的な構成を模式的に示す図。
【図２】動画処理装置の具体例であるパーソナルコンピュータの構成を模式的に示す図。
【図３】動画処理装置の具体例であるデジタルカメラの構成を模式的に示す図。
【図４】データ記憶部に記憶する動画および情報のデータの構成を模式的に示す図。
【図５】動作モードの選択に際して表示部に表示する操作案内の例を示す図。
【図６】動作モードの選択における制御部の処理の流れを示すフローチャート。
【図７】情報付加モード１において表示部に表示する操作案内の例を示す図。
【図８】情報付加モード１において表示部に表示する操作案内の例を示す図。
【図９】情報付加モード１における制御部の処理の流れを示すフローチャート。
【図１０】情報付加モード２において表示部に表示する操作案内の例を示す図。
【図１１】情報付加モード２において表示部に表示する操作案内の例を示す図。
【図１２】情報付加モード２における制御部の処理の流れを示すフローチャート。
【図１３】情報付加モード３において表示部に表示する操作案内の例を示す図。
【図１４】情報付加モード３において表示部に表示する操作案内の例を示す図。
【図１５】情報付加モード３における制御部の処理の流れを示すフローチャート。
【図１６】情報付加モード４において表示部に表示する操作案内の例を示す図。
【図１７】情報付加モード４における制御部の処理の流れを示すフローチャート。
【図１８】情報付加モードにおいて情報の入力を受け付ける際に表示部に表示する操作案内の例を示す図。
【図１９】情報付加モードにおいて情報の入力を受け付ける際の制御部の処理の流れを示すフローチャート。
【図２０】動画再生モードにおいて表示部に最初に表示する操作案内の例を示す図。
【図２１】動画再生モードのサブモード選択の際に表示部に表示する操作案内の例を示す図。
【図２２】動画再生モードにおける制御部の処理の流れを示すフローチャート。
【図２３】情報再生モードにおいて表示部に表示する操作案内の例を示す図。
【図２４】情報再生モードにおける制御部の処理の流れを示すフローチャート。
【図２５】全体再生モードにおいて表示部に表示する操作案内の例を示す図。
【図２６】全体再生モードにおける制御部の処理の流れを示すフローチャート。
【符号の説明】
１    動画処理装置
２    表示部
３    情報入力部
４    情報再生部
５    操作部
５ａ  座標指示部
６    制御部
６ａ  ＣＰＵ
７    プログラム記憶部
８    データ記憶部
１０    パーソナルコンピュータ
１１    パーソナルコンピュータ本体
１２    ＣＲＴ
１３    マイクロフォン
１４    スピーカ
１５    キーボード
１５ａ  カーソルキー
１６    マウス
１７    記憶媒体
２０    デジタルカメラ
２２    ＬＣＤ
２３    マイクロフォン
２４    スピーカ
２５    操作キー
２５ａ  カーソルキー
２７    記憶媒体
２８    撮影レンズ
２９    ＣＣＤエリアセンサ
３０    動画ファイル
３１    ファイルヘッダー
３２    フレームデータ
３３    フレームヘッダー
３４    画像データ
３５    音声データ
４０    情報ファイル
Ｐ    ポインタ
【図１】
2004222126.tif 000003
【図２】
2004222126.tif 000004
【図３】
2004222126.tif 000005
【図４】
2004222126.tif 000006
【図５】
2004222126.tif 000007
【図６】
2004222126.tif 000008
【図７】
2004222126.tif 000009
【図８】
2004222126.tif 000010
【図９】
2004222126.tif 000011
【図１０】
2004222126.tif 000012
【図１１】
2004222126.tif 000013
【図１２】
2004222126.tif 000014
【図１３】
2004222126.tif 000015
【図１４】
2004222126.tif 000016
【図１５】
2004222126.tif 000017
【図１６】
2004222126.tif 000018
【図１７】
2004222126.tif 000019
【図１８】
2004222126.tif 000020
【図１９】
2004222126.tif 000021
【図２０】
2004222126.tif 000022
【図２１】
2004222126.tif 000023
【図２２】
2004222126.tif 000024
【図２３】
2004222126.tif 000025
【図２４】
2004222126.tif 000026
【図２５】
2004222126.tif 000027
【図２６】
2004222126.tif 000028